(57)【要約】【課題】　一体の装置で画像を含む情報の作成と送受信を行う。【解決手段】　撮像部１１で撮像された映像信号が映像信号処理部１２を通じて記録部１３で記録されると共に、切り替えスイッチ１４を通じて表示部１５に供給され、撮像または再生された映像信号の表示が行われる。またアンテナ部１６で受信された伝送信号が情報端末部１７に供給され、変換された表示信号が切り替えスイッチ１４を通じて表示部１５に供給されると共に、記録信号に変換されて記録部１３で記録される。さらに入力手段４のタブレット１８及びその他のキースイッチ１９からの入力信号が、切り替えスイッチ２０を通じて映像信号処理部１２及び情報端末部１７に供給されてそれぞれ所定の処理の制御が行われる。またタブレット１８及びキースイッチ１９からの入力信号が出入力制御部２１に供給されて、上述のスイッチ１４、２０の切り替えが制御される。【選択図】　　　　図１  
2004007811.tif 000002
【特許請求の範囲】
【請求項１】
　映像を撮像する撮像手段と、
　情報の送受信を行う通信手段と、
　前記撮像手段で撮像された映像を記憶手段に記録、及び前記記憶手段に記録された映像を再生すると共に、前記記憶手段に記録された映像から選択された画像を前記記憶手段に記録、及び前記記憶手段に記録された画像を再生する記録再生手段と、
　前記撮像手段で撮像された映像または前記記憶手段から再生される映像を表示する表示手段と、
　前記記憶手段に記録された映像から、前記入力手段を用いて選択された画像を前記記憶手段に記録する制御を行うと共に、前記記憶手段から再生される画像を前記通信手段を介して送信する制御を行う制御手段と
　を具備することを特徴とする情報処理装置。
【請求項２】
　前記制御手段は、前記通信手段を介して受信された情報を前記表示手段に表示する制御を行うことを特徴とする請求項１記載の情報処理装置。
【請求項３】
　前記制御手段は、前記通信手段を介して受信された情報を前記表示手段に表示する制御を行うと共に、前記受信された情報を前記記憶手段に記録する制御を行うことを特徴とする請求項１記載の情報処理装置。
【請求項４】
　前記通信手段での情報の伝送は、無線通信であることを特徴とする請求項１記載の情報処理装置。
【請求項５】
　前記記憶手段は、前記映像を記録する第１記録媒体と、前記画像を記録する第２記録媒体を有することを特徴とする請求項１記載の情報処理装置。
【請求項６】
　前記記憶手段における前記第１記録媒体はビデオテープであり、前記第２記録媒体は半導体メモリーであることを特徴とする請求項５記載の情報処理装置。
【請求項７】
　映像を撮像する撮像手段と、
　情報の送受信を行う通信手段と、
　前記撮像手段で撮像された映像を、映像を記録する記録媒体に記録及び前記映像を記録する記録媒体に記録された映像を再生すると共に、前記映像を記録する記録媒体に記録された映像から選択された画像を、画像を記録する記録媒体に記録及び前記画像を記録する記録媒体に記録された画像を再生する記録再生手段と、
　前記撮像手段で撮像された映像または前記映像を記録する記録媒体から再生される映像を表示する表示手段と、
　前記映像を記録する記録媒体に記録された映像から、前記入力手段を用いて選択された画像を前記画像を記録する記録媒体に記録する制御を行い、前記画像を記録する記録媒体から再生される画像を前記通信手段を介して送信する制御を行う制御手段と
　を具備することを特徴とする情報処理装置。
【請求項８】
　前記画像を記録する記録媒体は、前記映像を記録する記録媒体とは異なることを特徴とする請求項７記載の情報処理装置。
【請求項９】
　前記映像を記録する記録媒体はビデオテープであり、前記画像を記録する記録媒体は半導体メモリーであることを特徴とする請求項８記載の情報処理装置。
【発明の詳細な説明】
【技術分野】
【０００１】
　本発明は、例えば液晶モニター付きのＶＣＲ一体型カメラ装置を応用した情報処理装置に関するものである。
【背景技術】
【０００２】
　いわゆる電子メールと呼ばれる情報の伝達方法が実現されている（例えば、特許文献１参照。）。
【０００３】
　しかしながら、上述の文献では、本願発明のように、一体の装置で画像を含む情報の作成と送受信を行うことのできる携帯性の良好な情報処理装置については、全く記載されていないものである。
【特許文献１】特許公開平５−２７４２３３号公報
【発明の開示】
【発明が解決しようとする課題】
【０００４】
　いわゆる電子メールと呼ばれる情報の伝達方法が実現されている。このような電子メールの送受信を行う装置としては、従来はパーソナルコンピューターやワークステーション等の情報機器が用いられていた。
【０００５】
　また、このような電子メールにおいて、情報の表現力を高めるために、従来の文字情報に加えて画像情報を文面内に取り込むことが行われている。その場合に従来の装置では、上述のパーソナルコンピューターやワークステーション等にカメラ装置を接続して、このカメラ装置で撮像された映像信号を動画または静止画で処理して、処理されたデータを電子メールに取り込ませるようにしていた。
【０００６】
　一方、近年の無線移動通信の社会基盤の整備が進む中で、電子メールの発信は屋内だけに留まらず、移動中の車内や野外へとその状況が拡大されつつある。このためこのような状況の変化に対応して、電子メールの送受信を行うことのできる情報端末装置の携帯型化が求められている。
【０００７】
　しかしながら従来の装置においては、例えば携帯型のパーソナルコンピューターは実現されているものの、画像付きの電子メールを作成するためにはこの装置に接続される別体のカメラ装置が必要であり、これらを一緒に携帯することが容易ではなかった。また、電子メールの作成に当たっては、文字情報を入力するためのキーボードが不可欠であり、このようなキーボードが付属されることも携帯性を損なう要因となっていた。
【０００８】
　この出願はこのような点に鑑みて成されたものであって、解決しようとする問題点は、従来の装置では携帯性が極めて悪く、自由な場所から画像付きの電子メールの発信を行うことが容易ではなかったというものである。
【課題を解決するための手段】
【０００９】
　このため本発明においては、撮像手段と通信手段と記録再生手段と表示手段と制御手段とを具備するようにしたものであって、これによれば、携帯性を良好にし、自由な場所から、容易に画像付き電子メールの発信を行うことができる。
【発明の効果】
【００１０】
　請求項１の発明によれば、撮像手段と通信手段と記憶手段と記録再生手段と表示手段と制御手段とを具備するようにしたことによって、携帯性を良好にし、自由な場所から、容易に画像付き電子メールの発信を行うことができるものである。
【００１１】
　また、請求項２の発明によれば、制御手段は、通信手段を介して受信された情報を表示手段に表示する制御を行うことによって、受信された情報の表示を容易に行うことができるものである。
【００１２】
　請求項３の発明によれば、制御手段は、通信手段を介して受信された情報を表示手段に表示する制御を行うと共に、受信された情報を記憶手段に記録する制御を行うことによって、受信された情報の記録を容易に行うことができるものである。
【００１３】
　請求項４の発明によれば、通信手段での情報の伝送は、無線通信とすることによって、移動中の送受信も行うことができるものである。
【００１４】
　請求項５の発明によれば、記憶手段は、映像を記録する第１記録媒体と、画像を記録する第２記録媒体を有することによって、映像及び画像の記録を良好に行うことができるものである。
【００１５】
　請求項６の発明によれば、記憶手段における第１記録媒体はビデオテープであり、第２記録媒体は半導体メモリーであることによって、データ量の多い映像の記録も良好に行うことができるものである。
【００１６】
　さらに請求項７の発明によれば、撮像手段と通信手段と映像を記録する記録媒体と画像を記録する記録媒体と記録再生手段と表示手段と制御手段とを具備するようにしたことによって、携帯性を良好にし、自由な場所から、容易に画像付き電子メールの発信を行うことができるものである。
【００１７】
　また、請求項８の発明によれば、画像を記録する記録媒体は、映像を記録する記録媒体とは異なることによって、映像及び画像の記録を良好に行うことができるものである。
【００１８】
　請求項９の発明によれば、映像を記録する記録媒体はビデオテープであり、画像を記録する記録媒体は半導体メモリーであることによって、データ量の多い映像の記録も良好に行うことができるものである。
【００１９】
　これによって、従来の装置では携帯性が極めて悪く、自由な場所から画像付きの電子メールの発信を行うことが容易ではなかったものを、本発明によればこれらの問題点を容易に解消することができるものである。
【発明を実施するための最良の形態】
【００２０】
　すなわち本発明の情報処理装置においては、映像を撮像する撮像手段と、情報の送受信を行う通信手段と、撮像手段で撮像された映像を記憶手段に記録、及び記憶手段に記録された映像を再生すると共に、記憶手段に記録された映像から選択された画像を記憶手段に記録、及び記憶手段に記録された画像を再生する記録再生手段と、撮像手段で撮像された映像または前記記憶手段から再生される映像を表示する表示手段と、記憶手段に記録された映像から、入力手段を用いて選択された画像を記憶手段に記録する制御を行うと共に、記憶手段から再生される画像を通信手段を介して送信する制御を行う制御手段とを具備してなるものである。
【００２１】
　また、本発明の情報処理装置においては、映像を撮像する撮像手段と、情報の送受信を行う通信手段と、撮像手段で撮像された映像を、映像を記録する記録媒体に記録及び映像を記録する記録媒体に記録された映像を再生すると共に、映像を記録する記録媒体に記録された映像から選択された画像を、画像を記録する記録媒体に記録及び画像を記録する記録媒体に記録された画像を再生する記録再生手段と、撮像手段で撮像された映像または映像を記録する記録媒体から再生される映像を表示する表示手段と、映像を記録する記録媒体に記録された映像から、入力手段を用いて選択された画像を画像を記録する記録媒体に記録する制御を行い、画像を記録する記録媒体から再生される画像を通信手段を介して送信する制御を行う制御手段とを具備してなるものである。
【００２２】
　以下、図面を参照して本発明を説明するに、図１は本発明による情報処理装置の外観を示す。この図１において、１は例えば縦型に構成されたＶＣＲ一体型カメラ装置（携帯型映像機器）を示し、図はその背面側を描いたもので、図示せずも正面側には撮像レンズ系やカセットの挿入機構等が設けられている。
【００２３】
　また、２はパネル型表示装置であって、この表示装置２は例えば液晶表示パネルで構成されて、上述のＶＣＲ一体型カメラ装置１に対して傾き自在に取り付けられると共に、上述のＶＣＲ一体型カメラ装置１で撮像または再生された映像信号の画像が表示される。なお、３は通信用無線アンテナである。
【００２４】
　さらにこのパネル型表示装置２の表示面上には、例えば透明電極を用いたいわゆるタッチパネル形式の入力手段４が一体に設けられる。そしてこの入力手段４を用いて、例えば電子メール（情報）を作成するための文字情報の入力や、映像信号からの必要な画像データの抜き出し等の指示が行われる。
【００２５】
　すなわち図２は内部の構成を示す。この図２において、ＶＣＲ一体型カメラ装置１の撮像部１１で撮像された映像信号が映像信号処理部１２に供給される。そしてこの処理部１２で所定の記録信号に変換され、この記録信号がＶＣＲ等の映像信号の記録部１３に供給されてビデオテープ等に記録される。
【００２６】
　また、撮像部１１で撮像された映像信号または記録部１３から再生された映像信号が、処理部１２で所定の表示信号に変換される。この表示信号が切り替えスイッチ１４を通じてパネル型表示装置２の表示部１５に供給されて、撮像または再生された映像信号の表示が行われる。
【００２７】
　また、通信用無線アンテナ３のアンテナ部１６で受信された例えば電子メールの伝送信号が情報端末部１７に供給されて、所定の表示信号に変換される。この表示信号が切り替えスイッチ１４を通じてパネル型表示装置２の表示部１５に供給されて、受信された電子メールの表示が行われる。
【００２８】
　さらに、アンテナ部１６で受信された例えば電子メールの伝送信号が情報端末部１７で所定の記録信号に変換される。そしてこの記録信号がＶＣＲ等の映像信号の記録部１３に供給されてビデオテープ等の記録メディアに記録される。
【００２９】
　また、入力手段４のタブレット１８及びその他のキースイッチ１９からの入力信号が、切り替えスイッチ２０を通じて映像信号処理部１２及び情報端末部１７に供給されて、それぞれ所定の処理の制御が行われる。さらにタブレット１８及びキースイッチ１９からの入力信号が出入力制御部２１に供給されて、上述のスイッチ１４、２０の切り替えが制御される。
【００３０】
　さらにこの装置において、上述の出入力制御部２１には、例えば図３のフローチャートに示すような処理の手順が設けられる。すなわち図３において、処理が開始されるとステップ〔１〕で現在の機能がＶＣＲ一体型カメラ装置としての機能であるか否かが判断される。
【００３１】
　このステップ〔１〕でＶＣＲ一体型カメラ装置としての機能のとき（Ｙｅｓ）は、ステップ〔２〕でタブレット１８またはキースイッチ１９において情報端末への切り替えの要求が検知されたか否かが判断される。そして検知されたとき（Ｙｅｓ）は、ステップ〔３〕でスイッチ１４、２０を情報端末部１７側へ切り替えて処理が終了される。またステップ〔２〕で要求が検知されないとき（Ｎｏ）はそのまま処理が終了される。
【００３２】
　さらにこのステップ〔１〕でＶＣＲ一体型カメラ装置としての機能でないとき（Ｎｏ）は、ステップ〔４〕でタブレット１８またはキースイッチ１９においてＶＣＲ一体型カメラ装置への切り替えの要求が検知されたか否かが判断される。そして検知されたとき（Ｙｅｓ）は、ステップ〔５〕でスイッチ１４、２０を映像信号処理部１２側へ切り替えて処理が終了される。またステップ〔４〕で要求が検知されないとき（Ｎｏ）はそのまま処理が終了される。
【００３３】
　さらにこの装置において上述の情報端末部１７では、電子メールの送受信や、電子メールの作成、表示のためのインターフェイスの制御、電子メールに画像を取り込むための制御等が行われる。すなわち図４には、そのための情報端末部１７の構成が示される。
【００３４】
　この図４において、この情報端末部１７には中央処理装置（ＣＰＵ）７１と、画像データを記憶するＶ−ＲＡＭ７２、入力データ等を記憶するＲＡＭ７３と、電子メールの送受信を行う送受信装置が設けられる。そして映像信号処理部１２または記録部１３からの映像信号の所望の画像がＶ−ＲＡＭ７２の画像データ領域に記憶される。さらにＣＰＵ７１との間で作成された電子メールの表示画像が端末画面データ領域に記憶され、この画面データが表示部１５に出力される。
【００３５】
　また、タブレット１８またはキースイッチ１９から入力されたデータがＲＡＭ７３のメールデータ領域に記憶される。さらにＣＰＵ７１で作成されたＶ−ＲＡＭ７２の画像データ領域に記憶された画像のインデックスデータが、画像インデックスデータ領域に記憶される。なお画像インデックスデータには、例えば図５に示すように画像名と、画像データの始端アドレス及びデータサイズ等が記憶される。
【００３６】
　さらに、ＣＰＵ７１で作成された電子メールのデータが送受信装置７４を通じてアンテナ部１６に供給されて送信が行われる。また、アンテナ部１６からの電子メールのデータが送受信装置７４を通じてＣＰＵ７１に供給されて受信が行われる。
【００３７】
　そしてこの装置において、実際に電子メールを作成する場合には、例えば図６のフローチャートに示すようにして行われる。すなわち図６は画像の選択の手順を示したもので、例えばＶＣＲ等の記録部１３に記録された映像信号を再生している状態で実行される。
【００３８】
　この図６において動作が開始されると、まずステップ〔１０〕で例えば後述するカット（Ｃｕｔ）ボタン（キースイッチ１９）が押されたか否かが判断され、押されていないとき（Ｎｏ）はこのステップ〔１０〕が繰り返される。そしてこのステップ〔１０〕でカットボタンが押されたとき（Ｙｅｓ）は、ステップ〔１１〕で記録部１３の再生が停止される。
【００３９】
　さらに、映像信号処理部１２ではカットボタンが押されたときの映像信号の画像が記憶されて表示が継続されており、ステップ〔１２〕で映像信号処理部１２から現在表示している画像データを受け取り、Ｖ−ＲＡＭ７２の画像データ領域に格納する。またステップ〔１３〕で、表示部１５にソフトウェアキーボードと画像名の入力フィールドが表示される。
【００４０】
　これによって、例えば後述するタッチペンを用いてタブレット１８からの文字情報の入力が行われる。そしてステップ〔１４〕で画像名の入力が終了したか否かが判断され、終了していないとき（Ｎｏ）はこのステップ〔１４〕が繰り返される。
【００４１】
　さらにステップ〔１４〕で入力が終了されたとき（Ｙｅｓ）は、ステップ〔１５〕で画像登録の確認の文面が表示される。そしてこの確認の文面には、例えば登録を承認する「Ｙｅｓ」と、登録を承認しない「Ｎｏ」の表示が付加され、例えば後述するタッチペンを用いてタブレット１８の対応する部分が押されることによってＹｅｓ／Ｎｏの入力が行われる。
【００４２】
　そしてステップ〔１６〕で押された表示（Ｙｅｓ／Ｎｏ）の判定が行われる。ここで「Ｎｏ」の表示が押されたとき（Ｎｏ）は、ステップ〔１７〕で記録部１３の再生が再開されてステップ〔１０〕に戻される。
【００４３】
　これに対してステップ〔１６〕で「Ｙｅｓ」の表示が押されたとき（Ｙｅｓ）は、ステップ〔１８〕でＶ−ＲＡＭ７２の画像データ領域に格納された画像データが記録部１３に記録される。これによって画像データの登録が行われる。さらにステップ〔１９〕で、ＲＡＭ７３の画像インデックスデータ領域に記録部１３に記録された画像のインデックスデータが更新記録される。
【００４４】
　なお記録部１３には、例えば上述のＶＣＲとは別に半導体メモリー等が設けられて、上述の画像データが登録されるようにしてもよい。あるいは上述のＶＣＲにおいて、例えばテープ上の登録画像のトラック番号等を画像インデックスデータとして記憶するようにしてもよい。そしてこのステップ〔１９〕でインデックスデータの更新が行われると、ステップ〔１７〕で記録部１３の再生が再開されてステップ〔１０〕に戻される。
【００４５】
　すなわち図７において、Ａに示すように再生される映像信号中の所望の画像が表示されたときにカットボタン（Ｃｕｔ）が押されると、Ｂに示すようにこの画像が静止されて表示されると共に、この画像に重ねてソフトウェアキーボードと画像名入力フィールドが表示される。そして例えばタッチペンを用いて画像名の入力が行われる。
【００４６】
　さらに、Ｃに示すように画像登録の確認の文面が表示される。そしてこの表示中の「Ｙｅｓ」「Ｎｏ」の表示に対応する部分のタブレット１８が、例えばタッチペンを用いて押されることによってＹｅｓ／Ｎｏの入力が行われ、画像データ及びその画像名の登録が行われる。
【００４７】
　このようにして再生される映像信号中の所望の画像データ及びその画像名の登録が行われる。さらに電子メールの文字情報の入力も例えば上述のソフトウェアキーボード等によって行われるが、この処理は周知の技術を用いて行うことができるので詳細な説明は省略し、以下には作成された文字情報に画像データを取り込む場合について説明する。
【００４８】
　すなわち図８は文字情報に画像データを取り込む場合の手順を説明するフローチャート、図９及び図１０はそれぞれ表示画面の例を示す。ここで手順の開始時には、まず表示部１５にメール本体の文字情報が表示され、図８のステップ〔２０〕で、例えば表示中の「画像」の表示に対応する部分のタブレット１８がタッチペンを用いて押されたか否かが判断される。
【００４９】
　このステップ〔２０〕で押されていないとき（Ｎｏ）はこのステップ〔２０〕が繰り返される。さらにこのステップ〔２０〕で「画像」ボタンが押されたとき（Ｙｅｓ）は、ステップ〔２１〕で図９のＡに示すようなプルダウンメニューが開かれる。ここでこのプルダウンメニューには、例えば図示のように登録された画像データの画像名が一覧に表示される。
【００５０】
　そしてステップ〔２２〕で、例えばプルダウンメニューの中でタッチペンがペンアップされたか否かが判断される。ここでペンアップされていないとき（Ｎｏ）はステップ〔２２〕が繰り返される。さらにステップ〔２２〕でペンアップされたとき（Ｙｅｓ）は、例えば図９のＢに示すようにステップ〔２３〕でペンアップされた位置のプルダウンメニューの画像名が取り込まれる。
【００５１】
　さらにステップ〔２４〕で、取り込まれた画像名に該当する画像データのアドレスが画像インデックスから検索され、記録部１３から該当する画像データがＶ−ＲＡＭ７２の画像データ領域にコピーされる。
【００５２】
　また、ステップ〔２５〕で、タッチペンが再びペンダウンされたか否かが判断される。ここでペンダウンされていないとき（Ｎｏ）はステップ〔２５〕が繰り返される。またステップ〔２５〕でペンダウンされたとき（Ｙｅｓ）は、ステップ〔２６〕で例えば図１０のＣに示すような矩形領域が、タッチペンの動きに応じたエコーバックにより表示される。
【００５３】
　さらにステップ〔２７〕で、タッチペンが再びペンアップされたか否かが判断される。ここでペンアップされていないとき（Ｎｏ）はステップ〔２６〕〔２７〕が繰り返される。
【００５４】
　またステップ〔２７〕でペンアップされたとき（Ｙｅｓ）は、ステップ〔２８〕でＶ−ＲＡＭ７２の画像データをペンダウン、ペンアップ点を結ぶ線を対角線とする矩形領域に納まるように圧縮し、表示部１５には例えば図１０のＤに示すような表示が行われる。そしてこの圧縮された画像データがＲＡＭ７３のメールデータ領域に格納され、これによって電子メールが作成される。
【００５５】
　このようにして文字情報に加えて画像情報が文面内に取り込まれた電子メールが作成される。そしてこの作成された電子メールが、ＣＰＵ７１から送受信装置７４を通じてアンテナ部１６に供給されて送信が行われる。なおこの送信の処理は周知の技術を用いて行うことができるので詳細な説明は省略する。
【００５６】
　こうして上述の装置によれば、画像を撮像する撮像手段と、撮像手段で撮像された画像を記憶手段に記録する及び記憶手段に記録された画像を再生する記録再生手段と、撮像手段で撮像された画像または記憶手段から再生される画像を表示する表示手段と、情報を入力する入力手段と、情報の送受信を行う通信手段と、撮像手段で撮像された画像または記憶手段から再生される画像と、上記入力手段から入力された情報とを組み合わせて形成された情報を通信手段を介して送信する制御を行う制御手段とを具備するようにしたので、一体の装置で画像を含む情報の作成と送受信を行うことができ、携帯性の良好な情報処理装置を形成することができるものである。
【００５７】
　また、入力手段としてパネル型表示装置の表示面（表示部１５）上に一体にパネル型入力部（タブレット１８）が設けられているので、キーボード等を付属させる必要がなく、良好な携帯性を得ることができるものである。
【００５８】
　従ってこの装置において、例えば図１１に示すように、事故現場で本発明による情報処理装置を用いて事故の画像とその状況の説明文を含む電子メールを作成し、この電子メールを基地局を通じて病院や救急車内の情報端末装置に送信しておくことによって、病院での受け入れ態勢や、救急車での救急医療の態勢を予め整えておくことができ、救急医療を円滑に行うことができる。
【００５９】
　またこの他にも種々の状況で、本発明による情報処理装置を用いて画像とその説明文を含む電子メールを作成してこの電子メールを送信することができ、受信側に状況の把握等を良好に行わせることができる。
【００６０】
　さらにこの装置において、記録部１３には例えばＶＣＲが設けられる。そこで他のＶＣＲ一体型のカメラ装置等で撮像されたビデオテープを、上述の本発明の装置に供給することによって、他のカメラ装置等で撮像された画像を本発明の装置で処理することができ、より多くのカメラ装置等で撮像された画像を電子メールに取り込むことができる。
【００６１】
　従って上述の装置によれば、記録部１３としてビデオテープレコーダー、ディスクレコーダー、またはメモリー装置を設けているので、予め別の装置でビデオテープ、ディスク、または半導体メモリー等に記録された映像信号を情報に取り込むことができ、情報の作成を一層円滑に、且つ高い表現力をもって行うことができるものである。
【００６２】
　またこの装置において、情報端末部１７の送受信装置７４は、上述のようにアンテナ部１６を通じて無線で送受信を行うだけでなく、例えば通信ジャック（図示せず）を設けて通信回線コードを介して電話回線にも接続できるようにしてもよい。
【００６３】
　従って上述の装置によれば、通信手段（情報端末部１７）での伝送は無線及び／または有線で行われるようにしたので、移動中の送受信はもとより、公衆電話回線等も利用して情報の送受信を行うことができるものである。
【００６４】
　なおこの装置において、ＶＣＲ一体型カメラ装置（携帯型映像機器）は上述の形式に限らず、横幅を広くして両手で支える形式の装置でもよい。あるいは動画を撮像記録する装置に限らず、いわゆる電子スチールカメラ装置においても、パネル型の表示装置を設けることによって本発明を実施することができる。
【００６５】
　さらにＶＣＲはアナログ記録あるいはデジタル記録のいずれであってもよい。なお特にデジタル記録を採用した場合には、登録画像の記録や、受信された電子メールの記録も円滑に行うことができる。
【００６６】
　また、上述のカット（Ｃｕｔ）ボタンや「画像」ボタンは、上述の例ではキースイッチ１９及び表示部１５とタブレット１８のソフトウェアによる入力手段を組み合わせたが、これらは全てソフトウェアによる入力手段あるいはキースイッチによって実施することも可能である。
【００６７】
　この発明によれば、画像を撮像する撮像手段と、撮像手段で撮像された画像を記憶手段に記録する及び記憶手段に記録された画像を再生する記録再生手段と、撮像手段で撮像された画像または記憶手段から再生される画像を表示する表示手段と、情報を入力する入力手段と、情報の送受信を行う通信手段と、撮像手段で撮像された画像または記憶手段から再生される画像と、上記入力手段から入力された情報とを組み合わせて形成された情報を通信手段を介して送信する制御を行う制御手段とを具備するようにしたので、一体の装置で画像を含む情報の作成と送受信を行うことができ、携帯性の良好な情報処理装置を形成することができるようになった。
【００６８】
　また、入力手段としてパネル型表示装置の表示面上に一体にパネル型入力部が設けられているので、キーボード等を付属させる必要がなく、良好な携帯性を得ることができるようになった。
【００６９】
　さらに、記録部としてビデオテープレコーダー、ディスクレコーダー、またはメモリー装置を設けているので、予め別の装置でビデオテープ、ディスク、または半導体メモリー等に記録された映像信号を情報に取り込むことができ、情報の作成を一層円滑に、且つ高い表現力をもって行うことができるようになった。
【００７０】
　また、通信手段は無線及び／または有線で行われるようにしたので、移動中の送受信はもとより、公衆電話回線等も利用して情報の送受信を行うことができるようになった。 
【産業上の利用可能性】
【００７１】
　なお本発明は、上述の説明した実施形態に限定されるものではなく、本発明の精神を逸脱することなく種々の変形が可能とされるものである。
【図面の簡単な説明】
【００７２】
【図１】本発明による情報処理装置の一例の全体の構成を示す外観図である。
【図２】その内部構成を示すブロック図である。
【図３】出入力制御の説明のためのフローチャート図である。
【図４】情報端末部の構成を示すブロック図である。
【図５】その説明のための図である。
【図６】動作の手順を示すフローチャート図である。
【図７】その説明のための図である。
【図８】動作の手順を示すフローチャート図である。
【図９】その説明のための図である。
【図１０】その説明のための図である。
【図１１】実際の運用の例を示す説明図である。
【符号の説明】
【００７３】
　１…ＶＣＲ一体型カメラ装置（携帯型映像機器）、２…パネル型表示装置、３…通信用無線アンテナ、４…タッチパネル形式の入力手段、１１…撮像部、１２…映像信号処理部、１３…記録部、１４，２０…切り替えスイッチ、１５…表示部、１６…アンテナ部、１７…情報端末部、１８…タブレット、１９…キースイッチ、２１…出入力制御部、７１…中央処理装置（ＣＰＵ）、７２…画像データを記憶するＶ−ＲＡＭ、７３…入力データ等を記憶するＲＡＭ、７４…送受信装置
【図１】
2004007811.tif 000003
【図２】
2004007811.tif 000004
【図３】
2004007811.tif 000005
【図４】
2004007811.tif 000006
【図５】
2004007811.tif 000007
【図６】
2004007811.tif 000008
【図７】
2004007811.tif 000009
【図８】
2004007811.tif 000010
【図９】
2004007811.tif 000011
【図１０】
2004007811.tif 000012
【図１１】
2004007811.tif 000013